(57)【特許請求の範囲】
【請求項１】
第１のユーザ装置（２０）から少なくとも１つの第２のユーザ装置（２１）へデバイス・ツー・デバイス通信のための少なくとも１つのディスカバリメッセージ（２００）を送信することによって、少なくとも２つのユーザ装置の間の地理的距離を推定する又は地理的距離の範囲を推定するための方法であって、前記第１のユーザ装置（２０）及び前記第２のユーザ装置（２１）は、近接性検出及び／又はディスカバリを含むデバイス・ツー・デバイス通信モード（Ｄ２Ｄモード）の使用に対応し、前記方法は、第１、第２及び第３のステップを含み、
第１のステップにおいて、前記第１のユーザ装置（２０）により前記ディスカバリメッセージ（２００）が生成され、前記ディスカバリメッセージ（２００）は送信電力情報を含み、前記送信電力情報は前記ディスカバリメッセージ（２００）を送信するために前記第１のユーザ装置（２０）により使用される送信電力のレベルを示し、
第２のステップにおいて、前記第１のユーザ装置（２０）及び前記第２のユーザ装置（２１）の共通無線インターフェースを使用して、前記第１のユーザ装置（２０）により前記ディスカバリメッセージ（２００）が送信され、前記ディスカバリメッセージ（２００）を送信するために前記第１のユーザ装置（２０）により前記送信電力のレベルが使用され、
第３のステップにおいて、前記第２のユーザ装置（２１）により前記送信電力情報を含む前記ディスカバリメッセージ（２００）が受信され、受信電力のレベルが決定され、
受信した送信電力情報及び決定した受信電力のレベルに基づいて、前記第１のユーザ装置（２０）と前記第２のユーザ装置（２１）との間における、地理的距離、又は複数の異なる地理的距離の範囲の中の１つの地理的距離の範囲に関連する推定が前記第２のユーザ装置（２１）により決定され、
前記ディスカバリメッセージ（２００）は、前記送信電力情報に加えて、前記ディスカバリメッセージ（２００）が送信電力情報を含むことの指示を含む、方法。
【請求項２】
前記第１及び第２のユーザ装置（２０、２１）は、コアネットワーク（１２０）及びアクセスネットワーク（１１０）を含む移動通信ネットワーク（１００）に関連し、前記移動通信ネットワーク（１００）の前記アクセスネットワーク（１１０）は基地局エンティティ（１１１）によりサービスされる少なくとも１つの無線セルを含み、前記無線セルは前記基地局エンティティ（１１１）の無線カバレッジ範囲に対応し、前記基地局エンティティ（１１１）により送信電力調整情報（１５０）が送信され、前記送信電力調整情報（１５０）は前記第１のユーザ装置（２０）により受信され、前記送信電力調整情報は前記ディスカバリメッセージ（２００）を送信するために前記第１のユーザ装置（２０）により適用するべき前記送信電力のレベルを示し、
前記送信電力調整情報（１５０）は、ブロードキャスト制御チャネル、又は特定のユーザ装置の個別制御のための専用制御チャネルを使用して、前記基地局エンティティ（１１１）により送信される、請求項１に記載の方法。
【請求項３】
前記送信電力調整情報（１５０）は、前記ディスカバリメッセージ（２００）を送信するために、前記第１のユーザ装置（２０）により選択的に適用される、少なくとも第１のレベルの送信電力及び第２のレベルの送信電力を指し、前記第１のレベルの送信電力は、前記ディスカバリメッセージ（２００）の第１の送信距離範囲を指し、前記第２のレベルの送信電力は、前記ディスカバリメッセージ（２００）の第２の送信距離範囲を指し、前記第２のレベルの送信電力及び前記第２の送信距離範囲は前記第１のレベルの送信電力及び前記第１の送信距離範囲を上回り、
前記送信電力調整情報（１５０）は、前記第１のレベルの送信電力及び前記第２のレベルの送信電力に加えて、少なくとも第３のレベルの送信電力を指し、前記第１、第２及び第３のレベルの送信電力の１つが、前記ディスカバリメッセージ（２００）を送信するために前記第１のユーザ装置（２０）により選択的に適用され、前記第３のレベルの送信電力は、前記ディスカバリメッセージ（２００）の第３の送信距離範囲を指し、前記第１の送信距離範囲は前記ディスカバリメッセージ（２００）の相対的に短い送信距離を指し、前記第２の送信距離範囲は前記ディスカバリメッセージ（２００）の中間の送信距離を指し、前記第３の送信距離範囲は前記ディスカバリメッセージ（２００）の相対的に長い送信距離を指す、請求項２に記載の方法。
【請求項４】
前記送信電力調整情報（１５０）は前記第２のユーザ装置（２１）にも受信され、前記送信電力調整情報は前記無線セル内の無線状態を示し、前記第１のユーザ装置（２０）と前記第２のユーザ装置（２１）との間の前記地理的距離又は地理的距離の範囲に関連する推定が、前記送信電力調整情報、及び受信した送信電力情報及び決定した受信電力のレベルに基づいて決定される、請求項２又は３に記載の方法。
【請求項５】
前記第１及び第２のユーザ装置（２０、２１）は、コアネットワーク（１２０）及びアクセスネットワーク（１１０）を含む移動通信ネットワーク（１００）に関連し、前記移動通信ネットワーク（１００）の前記アクセスネットワーク（１１０）は基地局エンティティ（１１１）によりサービスされる少なくとも１つの無線セルを含み、前記無線セルは前記基地局エンティティ（１１１）の無線カバレッジ範囲に対応し、前記無線セル内の無線状態を示す情報が前記基地局エンティティ（１１１）により送信され、前記第１のユーザ装置（２０）と前記第２のユーザ装置（２１）との間の前記地理的距離又は地理的距離の範囲に関連する推定が、前記無線セル内の前記無線状態を示す情報、及び受信した送信電力情報及び決定した受信電力のレベルに基づいて決定される、請求項１に記載の方法。
【請求項６】
前記ディスカバリメッセージ（２００）は、前記第１のユーザ装置（２０）の地理的場所の指示、及び／又は
前記第１のユーザ装置（２０）及び／又は前記第１のユーザ装置（２０）の加入者及び／又はアプリケーション及び／又はカテゴリを識別する識別情報
を含む、請求項１〜５の何れか１項に記載の方法。
【請求項７】
前記ディスカバリメッセージ（２００）は、前記送信電力情報に加えて、無線セル内の無線状態を示す更なる情報を含む、請求項１〜６の何れか１項に記載の方法。
【請求項８】
前記ディスカバリメッセージ（２００）は、３ＧＰＰプロキシミティ・サービス（ＰｒｏＳｅ）標準に従う表現を含む、請求項１〜７の何れか１項に記載の方法。
【請求項９】
前記ディスカバリメッセージ（２００）は、前記表現に加えて、ヘッダ情報を含み、前記ヘッダ情報は前記送信電力情報を含み、及び／又は前記ディスカバリメッセージ（２００）は、前記表現及び前記ヘッダ情報に加えて、追加情報を含み、前記追加情報は前記送信電力情報を含む、請求項８に記載の方法。
【請求項１０】
第１のユーザ装置（２０）から少なくとも１つの第２のユーザ装置（２１）へデバイス・ツー・デバイス通信のための少なくとも１つのディスカバリメッセージ（２００）を送信することによって、少なくとも２つのユーザ装置の間の地理的距離を推定する又は地理的距離の範囲を推定するためのシステムであって、前記システムは前記第１のユーザ装置（２０）及び前記第２のユーザ装置（２１）を含み、前記第１のユーザ装置（２０）及び前記第２のユーザ装置（２１）は、近接性検出及び／又はディスカバリを含むデバイス・ツー・デバイス通信モード（Ｄ２Ｄモード）の使用に対応し、
前記システムは、
前記第１のユーザ装置（２０）により前記ディスカバリメッセージ（２００）が生成され、前記ディスカバリメッセージ（２００）は送信電力情報を含み、前記送信電力情報は前記ディスカバリメッセージ（２００）を送信するために前記第１のユーザ装置（２０）により使用される送信電力のレベルを示し、
前記第１のユーザ装置（２０）及び前記第２のユーザ装置（２１）の共通無線インターフェースを使用して、前記第１のユーザ装置（２０）により前記ディスカバリメッセージ（２００）が送信され、前記ディスカバリメッセージ（２００）を送信するために前記第１のユーザ装置（２０）により前記送信電力のレベルが使用され、
前記第２のユーザ装置（２１）により前記送信電力情報を含む前記ディスカバリメッセージ（２００）が受信され、受信電力のレベルが決定され、
受信した送信電力情報及び決定した受信電力のレベルに基づいて、前記第１のユーザ装置（２０）と前記第２のユーザ装置（２１）との間における、地理的距離、又は複数の異なる地理的距離の範囲の中の１つの地理的距離の範囲に関連する推定が前記第２のユーザ装置（２１）により決定される
ように構成され、
前記ディスカバリメッセージ（２００）は、前記送信電力情報に加えて、前記ディスカバリメッセージ（２００）が送信電力情報を含むことの指示を含む、システム。
【請求項１１】
前記システムは移動通信ネットワーク（１００）を含み、前記第１及び第２のユーザ装置（２０、２１）の少なくとも１つが、コアネットワーク（１２０）及びアクセスネットワーク（１１０）を含む移動通信ネットワーク（１００）に関連し、前記移動通信ネットワーク（１００）の前記アクセスネットワーク（１１０）は基地局エンティティ（１１１）によりサービスされる少なくとも１つの無線セルを含み、前記無線セルは前記基地局エンティティ（１１１）の無線カバレッジ範囲に対応し、前記システムは、前記基地局エンティティ（１１１）により送信電力調整情報（１５０）が送信されるように構成され、前記システムは、前記送信電力調整情報（１５０）が前記第１のユーザ装置（２０）により受信されるように構成され、前記送信電力調整情報は前記ディスカバリメッセージ（２００）を送信するために前記第１のユーザ装置（２０）により適用するべき前記送信電力のレベルを示し、
前記システムは、ブロードキャスト制御チャネル、又は特定のユーザ装置の個別制御のための専用制御チャネルを使用して、前記基地局エンティティ（１１１）により前記送信電力調整情報（１５０）が送信されるように構成される、請求項１０に記載のシステム。
【請求項１２】
ユーザ装置間のデバイス・ツー・デバイス通信のための少なくとも１つディスカバリメッセージ（２００）を送信することによって、少なくとも２つのユーザ装置間の地理的距離又は地理的距離の範囲の高度推定をユーザ装置により可能にするための、請求項１１に記載のシステムで使用されるように適合される移動通信ネットワーク（１００）であって、前記第１及び第２のユーザ装置（２０、２１）の少なくとも１つが、コアネットワーク（１２０）及びアクセスネットワーク（１１０）を含む前記移動通信ネットワーク（１００）に関連し、前記移動通信ネットワーク（１００）の前記アクセスネットワーク（１１０）は基地局エンティティ（１１１）によりサービスされる少なくとも１つの無線セルを含み、前記無線セルは前記基地局エンティティ（１１１）の無線カバレッジ範囲に対応し、前記第１のユーザ装置（２０）及び前記第２のユーザ装置（２１）は、近接性検出及び／又はディスカバリを含むデバイス・ツー・デバイス通信モード（Ｄ２Ｄモード）の使用に対応し、前記移動通信ネットワークは、前記基地局エンティティ（１１１）により送信電力調整情報（１５０）が送信されるように構成され、
前記システムは、前記送信電力調整情報（１５０）が前記第１のユーザ装置（２０）により受信されるように構成され、前記送信電力調整情報は前記ディスカバリメッセージ（２００）を送信するために前記第１のユーザ装置（２０）により適用するべき前記送信電力のレベルを示し、
前記システムは、ブロードキャスト制御チャネル、又は特定のユーザ装置の個別制御のための専用制御チャネルを使用して、前記基地局エンティティ（１１１）により前記送信電力調整情報（１５０）が送信されるように構成される、移動通信ネットワーク（１００）。
【請求項１３】
請求項１１に記載のシステムにおいて又は請求項１２に記載の移動通信ネットワーク（１００）と共に使用されるように適合されるユーザ装置（２０）であって、前記ユーザ装置（２０）は、少なくとも１つの第２のユーザ装置（２１）にデバイス・ツー・デバイス通信のための少なくとも１つのディスカバリメッセージ（２００）を送信するように構成され、前記ユーザ装置（２０）及び前記第２のユーザ装置（２１）は近接性検出及び／又はディスカバリを含むデバイス・ツー・デバイス通信モード（Ｄ２Ｄモード）の使用に対応し、
前記ユーザ装置（２０）は、
前記第１のユーザ装置（２０）により前記ディスカバリメッセージ（２００）が生成され、前記ディスカバリメッセージ（２００）は送信電力情報を含み、前記送信電力情報は前記ディスカバリメッセージ（２００）を送信するために前記第１のユーザ装置（２０）により使用される送信電力のレベルを示し、
前記第１のユーザ装置（２０）及び前記第２のユーザ装置（２１）の共通無線インターフェースを使用して、前記第１のユーザ装置（２０）により前記ディスカバリメッセージ（２００）が送信され、前記ディスカバリメッセージ（２００）を送信するために前記第１のユーザ装置（２０）により前記送信電力のレベルが使用される
ように構成される、ユーザ装置（２０）。
【請求項１４】
コンピュータ上で又は第１のユーザ装置（２０）又は第２のユーザ装置（２１）上で、又は部分的に前記第１のユーザ装置（２０）上で及び部分的に前記第２のユーザ装置（２１）上で実行されると、前記コンピュータ又は前記第１のユーザ装置（２０）又は前記第２のユーザ装置（２１）に、請求項１から９の何れか１項に記載の方法を実行させる、コンピュータ可読プログラムコードを含む、プログラム。
【請求項１５】
基地局（１１１）と共にユーザ装置（２０）を使用するためのコンピュータプログラムを記録したコンピュータ読み取り可能な記録媒体であって、前記コンピュータプログラムは、コンピュータ上で又は第１のユーザ装置（２０）又は第２のユーザ装置（２１）上で、又は部分的に前記第１のユーザ装置（２０）上で及び部分的に前記第２のユーザ装置（２１）上で実行されると、前記コンピュータ又は前記第１のユーザ装置（２０）又は前記第２のユーザ装置（２１）に、請求項１から９の何れか１項に記載の方法を実行させるプログラムコードを含む、コンピュータ読み取り可能な記録媒体。
【発明の詳細な説明】
【技術分野】
【０００１】
本発明は、第１のユーザ装置から少なくとも１つの第２のユーザ装置へデバイス・ツー・デバイス通信のための少なくとも１つのディスカバリメッセージを送信することによって、少なくとも２つのユーザ装置の間の地理的距離を推定する又は地理的距離の範囲を推定するための方法に関する。
【０００２】
更に、本発明は、第１のユーザ装置から少なくとも１つの第２のユーザ装置へデバイス・ツー・デバイス通信のための少なくとも１つのディスカバリメッセージを送信することによって、少なくとも２つのユーザ装置の間の地理的距離を推定する又は地理的距離の範囲を推定するためのシステムに関する。
【０００３】
更に、本発明は、移動通信ネットワーク、ユーザ装置、プログラム及びコンピュータプログラム製品に関する。
【背景技術】
【０００４】
本発明は、とりわけ、以後、デバイス・ツー・デバイス通信又はＤ２Ｄ通信と呼ばれる、装置（又はユーザ装置）間で直接通信リンクを確立することができる少なくとも２つの移動端末装置（又はユーザ装置）が、互いを発見する、即ち、こうした装置間で最初に直接情報を交換することを可能にする方法に取り組む。
【０００５】
ＬＴＥ（Ｌｏｎｇ  Ｔｅｒｍ  Ｅｖｏｌｕｔｉｏｎ）システムがデバイス・ツー・デバイス通信の使用を増加させることが期待されている。ＬＴＥシステム及びＬＴＥ−Ａ（ＬＥＴアドバンスド；ＬＴＥ  Ａｄｖａｎｃｅｄ）システムは、エボルブド・ユニバーサル・モバイル・テレコミュニケーション・システム（ＵＭＴＳ）・テレストリアル・ラジオ・アクセス・ネットワーク（Ｅ−ＵＴＲＡＮ；Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  Ｔｅｒｒｅｓｔｒｉａｌ  Ｒａｄｉｏ  Ａｃｃｅｓｓ  Ｎｅｔｗｏｒｋ）、及びエボルブド・パケット・コア（ＥＰＣ；Ｅｖｏｌｖｅｄ  Ｐａｃｋｅｔ  Ｃｏｒｅ）を含む。典型的には、Ｅ−ＵＴＲＡＮは、一般にマクロセル関してｅＮＢ（ｅｖｏｌｖｅｄ  ＮｏｄｅＢ）と呼ばれ、フェムトセルに関してＨｅＮＢ  （Ｈｏｍｅ−ｅＮＢ）と呼ばれる複数の基地局エンティティ、並びにセルラ端末（又はユーザ装置）を含む。
【０００６】
特に、デバイス・ツー・デバイス通信は、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）、リリース１２との関連で現在作業項目として定義されている。ＬＴＥデバイス・ツー・デバイス通信（ＬＴＥ  Ｄ２Ｄ）の基本原理は、デバイス・ツー・デバイス通信モードをサポートする少なくとも２つの装置（又はユーザ装置）間の直接通信を許可することができることである。３ＧＰＰで標準化された、デバイス・ツー・デバイス通信の文脈の中では、２つのモードは、３ＧＰＰ定義の一部、即ち、インフラストラクチャベースのデバイス・ツー・デバイス通信及び直接デバイス・ツー・デバイス通信モードである。
【０００７】
デバイス・ツー・デバイス通信の更なる特徴は、所謂「ディスカバリ」機能であり、これは少なくとも２つのデバイス・ツー・デバイス通信対応装置（又はユーザ装置）が互いに近くに有る場合に互いを識別することを可能にする。所謂「通信」機能の文脈の中では、ディスカバリに関わる少なくとも２つのデバイス・ツー・デバイス通信対応装置が互いの間で直接通信を開始することが可能にされている。
【０００８】
ディスカバリ機能は、重大通信ユーザの興味を引くと共に、ターゲット移動広告による新しいビジネス機会を探索するために商用セルラ移動オペレータの興味を引き、ユーザ装置の現在地の環境（即ち、現在地の近く）がますます重要な役割を果たすソーシャルネットワークの成長傾向を支援する。更に、デバイス・ツー・デバイス通信、及び特に近接サービスは、同様に、例えば、自動車間通信、交通管理及び交通警報用の新しいサービスを確立するために、自動車用途に関して興味を引く。
【０００９】
デバイス・ツー・デバイス・ディスカバリ及び／又はデバイス・ツー・デバイス通信は、サポートする移動通信ネットワークにより装置に割り当てられる無線リソースに基づいて、少なくとも２つの装置間における直接の相互作用を可能にする。典型的には、移動通信ネットワークは、場所に基づくサービスを提供するために装置の場所を決定することに関わる。例えば、装置間の相対距離を決定するために絶対位置が使用され得るように、サポートする移動通信ネットワークにより、ある装置の場所が別の装置に提供される。典型的には、これは相対距離の決定のために集中化システムを必要とする。しかしながら、移動通信ネットワークにより決定される相対距離の数の増加によって、ネットワーク負荷が増加する状況をもたらす可能性がある。更に、デバイス・ツー・デバイス通信の使用は、特に、公衆安全用途においては、サポートする移動通信ネットワークとの装置の通信に関連する受信失敗又は弱信号のために制限される。
【発明の概要】
【００１０】
本発明の目的は、第１のユーザ装置から少なくとも１つの第２のユーザ装置へデバイス・ツー・デバイス通信のための少なくとも１つのディスカバリメッセージを送信することによって、少なくとも２つのユーザ装置間の地理的距離又は地理的距離の範囲の推定を可能にすることであり、特に新しい使用事例に関して、第２のユーザ装置の使用は向上され、及び／又は特に受信失敗又は他の信号障害によるデバイス・ツー・デバイス・ディスカバリの使用の制限が低減され及び／又は克服される。
【００１１】
本発明の目的は、第１のユーザ装置から少なくとも１つの第２のユーザ装置へデバイス・ツー・デバイス通信のための少なくとも１つのディスカバリメッセージを送信することによって、少なくとも２つのユーザ装置の間の地理的距離を推定する又は地理的距離の範囲を推定するための方法によって達成され、第１のユーザ装置及び第２のユーザ装置は、近接性検出及び／又はディスカバリを含むデバイス・ツー・デバイス通信モード（Ｄ２Ｄモード）の使用に対応する。この方法は、以下のステップを含む。第１のステップにおいて、第１のユーザ装置によりディスカバリメッセージが生成され、ディスカバリメッセージは送信電力情報を含み、送信電力情報はディスカバリメッセージを送信するために第１のユーザ装置により使用される送信電力のレベルを示す。第２のステップにおいて、第１のユーザ装置及び第２のユーザ装置の共通無線インターフェースを使用して、第１のユーザ装置によりディスカバリメッセージが送信され、ディスカバリメッセージを送信するために第１のユーザ装置により送信電力のレベルが使用される。第３のステップにおいて、第２のユーザ装置により送信電力情報を含むディスカバリメッセージが受信され、受信電力のレベルが決定され、受信した送信電力情報及び決定した受信電力のレベルに基づいて、第１のユーザ装置と第２のユーザ装置との間における、地理的距離、又は複数の異なる地理的距離の範囲の中の１つの地理的距離の範囲に関連する推定が第２のユーザ装置により決定される。
【００１２】
それによって、現行技術に対して、ネットワーク負荷が低減され及び／又はネットワークカバレッジ無くても近接サービスが提供されるように、第１のユーザ装置と第２のユーザ装置の間の地理的距離又は地理的距離の範囲に関連する推定を決定することが有利に可能になる。例えば、特に、サポートする移動通信ネットワークから受信した信号の受信品質とは無関係に、直接的に地理的距離又は地理的距離の範囲に関連する推定を決定することが有利に可能になる。更に、現行技術に対して、既存の使用事例を向上させ及び／又は新しい使用事例を実現することが有利に可能になる。好ましくは、第２のユーザ装置は、第２のユーザ装置の速度に基づいて第１のユーザ装置に関連する選択を行うために、地理的距離に関連する推定又は地理的距離の範囲に関連する推定を使用してもよい。第１のユーザ装置に関連する選択は、例えば、第１のユーザ装置に関する情報が第２のユーザ装置により使用されるかどうかの決定を含む。一例によれば、典型的に歩行者により使用される速さで、第２のユーザ装置から離れて（例えば、１００メートルの）閾値距離内に位置する店が第２のユーザ装置により選択され（及び／又はユーザに表示され）てもよいが、（例えば、１キロメートルの）別の距離内の別の店が第２のユーザ装置により選択解除され（及び／又はユーザに表示されなく）てもよい。別の例によれば、典型的に車両（例えば、自転車）により使用される速さで、５００メートルの閾値距離内に位置するＡＴＭ（ａｕｔｏｍａｔｅｄ  ｔｅｌｌｅｒ  ｍａｃｈｉｎｅ）が第２のユーザ装置により更なる処理のために選択されてもよい。好ましくは、地理的距離又は地理的距離の範囲が相対的に小さく且つ第１のユーザ装置が相対的に低いレベルの送信電力を使用する第１の場合と、地理的距離又は地理的距離の範囲が相対的に大きく且つ第１のユーザ装置が相対的に高いレベルの送信電力を使用する第２の場合、及びこれら２つの場合の両方において決定された受信電力のレベルが実質的に同じである場合の間を第２のユーザ装置が区別することが可能になる。ディスカバリメッセージの送信のために発信側の第１のユーザ装置により使用される送信電力のレベルを受信側の第２のユーザ装置に知らせるために、ディスカバリメッセージに送信電力情報（即ち、送信電力レベル又は送信電力レベルに関連する指示）が含まれる。好ましくは、第２のユーザ装置は、それによって、決定された送信電力のレベルを、地理的距離又は範囲を決定する等のためにディスカバリメッセージ内で送信される送信電力のレベルと比較することが可能になる。更に、それによって、複数の第２のユーザ装置の各々が第１のユーザ装置への地理的距離又は地理的距離の範囲を決定することを可能にすることが有利に可能になる。好ましくは、地理的距離の範囲は、地理的距離の最低及び最高値を示す区間情報を含む。好ましくは、地理的距離又は地理的距離の範囲に関連する推定が、第２のユーザ装置により、地理的距離又は地理的距離の範囲に関連する推定を要求するアプリケーション（典型的には、第２のユーザ装置上で実行されている）に示される。例えば、地理的距離又は地理的距離の範囲に関連する推定は、地理的距離の絶対値又は��対値を特定する数値の形式で、又は推定距離がアプリケーションにより要求されるディスカバリ範囲内に入る指示、特に、単一ビット（２進数）指示又は複数ビットを含む指示の形式でアプリケーションに示される。
【００１３】
本発明の好ましい実施形態によれば、送信電力情報は、例えば、デシベル・ミリワット（ｄＢｍ）等、特に、既定の送信電力単位を使用する数値の形式で、又は送信電力情報の送信に必要とされる２進数値（Ｂｉｔｓ）を低減することができるように送信電力のレベルの範囲を示す範囲情報の形式で送信電力のレベルの指示を含む。
【００１４】
本発明の好ましい実施形態によれば、地理的距離又は地理的距離の範囲に関連する推定が、第１のユーザ装置から第２のユーザ装置へのディスカバリメッセージの経路に沿って、送信電力のレベルから更なる送信電力のレベルへの送信電力の低減に関連する経路損失情報を計算することにより決定される。特に、経路損失情報は、送信電力のレベルと更なる送信電力のレベルとの差に関連する経路損失値を含む。
【００１５】
本発明の好ましい実施形態によれば、第１及び第２のユーザ装置は、コアネットワーク及びアクセスネットワークを含む移動通信ネットワークに関連し、移動通信ネットワークのアクセスネットワークは基地局エンティティによりサービスされる少なくとも１つの無線セルを含み、無線セルは基地局エンティティの無線カバレッジ範囲に対応し、送信電力調整情報が基地局エンティティにより送信され、送信電力調整情報は第１のユーザ装置により受信され、送信電力調整情報はディスカバリメッセージを送信するために第１のユーザ装置により適用するべき送信電力のレベルを示し、好ましくは、送信電力調整情報は、制御チャネル、好ましくは、ブロードキャスト制御チャネル、又は特定のユーザ装置の個別制御のための専用制御チャネルを使用して、基地局エンティティにより送信される。
【００１６】
それによって、相対的に高精度で地理的距離又は地理的距離の範囲に関連する推定を決定するために送信電力調整情報を使用することが有利に可能になる。好ましくは、送信電力調整情報は、ディスカバリメッセージの送信距離範囲の変化が、特に、無線セル内で、異なる第１のユーザ装置に対して低減されるように、ｅＮＢにより発信側の第１のユーザ装置に提供される調整テーブルを含む。例えば、送信電力調整情報は、無線リソース制御（ＲＲＣ）信号伝達を使用する専用信号伝達を介して又はブロードキャストチャネル（ＢＣＣＨ）上でシステム情報ブロック（ＳＩＢ）を使用して送信される。好ましくは、送信電力のレベルは、特定の（要求された）送信距離範囲が実現されるように電力調整情報に従って第１のユーザ装置により調節される。
【００１７】
本発明の更に好ましい実施形態によれば、基地局エンティティは、送信電力のレベルをセルごとの第１のユーザ装置の最大送信電力のレベルに制限するように構成される。それによって、干渉を防ぐことが有利に可能になる。特に、送信電力の最大レベルが、ブロードキャスト制御チャネル（ＢＣＣＨ）上でシステム情報ブロック（ＳＩＢ）を使用して第１のユーザ装置に信号伝達される。好ましくは、移動通信ネットワークは、各無線セルごとに別々に送信電力の最大レベルを定義する。本発明によれば、無線セル固有の送信電力調整情報の使用は、第１のユーザ装置による無線セルの変化に応じた送信距離範囲の変化を有利に回避することを可能にする。それによって、移動通信ネットワークにより、第１のユーザ装置の加入者が移動通信ネットワーク内の既定の送信距離範囲だけを使用することを許可する、即ち、加入者が使用を許可される最大送信距離範囲を規定することが有利に可能になる。
【００１８】
本発明の更に好ましい実施形態によれば、送信電力調整情報は、ディスカバリメッセージを送信するために、第１のユーザ装置により選択的に適用される、少なくとも第１のレベルの送信電力及び第２のレベルの送信電力を指し、第１のレベルの送信電力は、ディスカバリメッセージの第１の送信距離範囲を指し、第２のレベルの送信電力は、ディスカバリメッセージの第２の送信距離範囲を指し、第２のレベルの送信電力及び第２の送信距離範囲は第１のレベルの送信電力及び第１の送信距離範囲を上回り、好ましくは、送信電力調整情報は、第１のレベルの送信電力及び第２のレベルの送信電力に加えて、少なくとも第３のレベルの送信電力を指し、第１、第２及び第３のレベルの送信電力の１つが、ディスカバリメッセージを送信するために第１のユーザ装置により選択的に適用され、第３のレベルの送信電力は、ディスカバリメッセージの第３の送信距離範囲を指し、第１の送信距離範囲はディスカバリメッセージの相対的に短い送信距離を指し、第２の送信距離範囲はディスカバリメッセージの中間の送信距離を指し、第３の送信距離範囲はディスカバリメッセージの相対的に長い送信距離を指す。
【００１９】
それによって、送信電力のレベルを送信距離範囲にマッピングすることが有利に可能になる。好ましくは、送信電力のレベルは、特に、無線セルのタイプ（例えば、地方タイプ又は都市タイプの無線セル）によって、セルごとに送信距離範囲にマッピングされる。従って、２つの異なるセルにおいて、所与の送信距離範囲に異なるレベルの送信電力が割り当てられてもよい。それによって、移動通信ネットワーク又は一連の異なる無線セルにおいて特定の送信距離を一定に保ちながら、異なる無線信号伝播状態を補償することが有利に可能になる。
【００２０】
本発明の好ましい実施形態によれば、送信電力調整情報は、送信電力のレベルの範囲（即ち、０と送信電力の最大レベルの間）が多数の小区分に、好ましくは、１５区分（又は間隔）より少なく、より好ましくは、９区分より少なく、更により好ましくは、４区分より少なく分割されるように構成される。例えば、送信電力のレベルの範囲が３つの区分に分割される場合、ディスカバリメッセージの３ビット、好ましくは、２ビットのみを使用することによって送信電力情報を送信することが有利に可能になる。
【００２１】
本発明の更に好ましい実施形態によれば、送信電力調整情報は第２のユーザ装置にも受信され、送信電力調整情報は無線セル内の無線状態を示し、第１のユーザ装置と第２のユーザ装置との間の地理的距離又は地理的距離の範囲に関連する推定が、送信電力調整情報、及び受信した送信電力情報及び決定した受信電力のレベルに基づいて決定される。
【００２２】
それによって、地理的距離又は地理的距離の範囲に関連する推定を決定するために少なくとも１つ無線セルの無線状態及び／又は少なくとも１つ無線セルのタイプ（例えば、地方タイプのセル又は都市タイプのセル）を考慮に入れることが有利に可能になる。特に、送信電力調整情報に従って送信電力のレベルが制御される場合、異なるセルの異なる無線状態のための送信距離範囲の変化が実質的に低減される。
【００２３】
本発明の好ましい実施形態によれば、送信電力調整情報は、無線セルにおける無線状態の決定に依存して移動通信ネットワークにより生成される。好ましくは、無線セルにおける無線状態の決定は、基地局エンティティにより、１つ以上の近隣の基地局エンティティから受信する構成データを使用すること、及び／又は、特に、無線セルにおける無線状態の特性に対するドライブテストの最小化（ＭＤＴ；Ｍｉｎｉｍｉｓａｔｉｏｎ  ｏｆ  Ｄｒｉｖｅ  ｔｅｓｔ）技術を使用することによって、端末測定により収集される情報を使用することを含む。
【００２４】
本発明の更に好ましい実施形態によれば、第１及び第２のユーザ装置は、コアネットワーク及びアクセスネットワークを含む移動通信ネットワークに関連し、移動通信ネットワークのアクセスネットワークは基地局エンティティによりサービスされる少なくとも１つの無線セルを含み、無線セルは基地局エンティティの無線カバレッジ範囲に対応し、無線セル内の無線状態を示す情報は基地局エンティティにより送信され、第１のユーザ装置と第２のユーザ装置との間の地理的距離又は地理的距離の範囲に関連する推定は、無線セル内の無線状態を示す情報、及び受信した送信電力情報及び決定した受信電力のレベルに基づいて決定される。
【００２５】
それによって、移動通信ネットワークから第２のユーザ装置へ、好ましくは、直接的に、無線セル内の無線状態を示す情報を提供することが有利に可能になる。それによって、第２のユーザ装置は、第１のユーザ装置との移動通信ネットワークにより設定される送信電力のレベルの制限とは無関係に地理的距離又は地理的距離の範囲に関連する推定を決定することが可能になる。
【００２６】
本発明の更に好ましい実施形態によれば、ディスカバリメッセージは、第１のユーザ装置の地理的場所の指示、及び／又は第１のユーザ装置及び／又は第１のユーザ装置の加入者及び／又はアプリケーション及び／又はカテゴリを識別する識別情報を含む。
【００２７】
それによって、第２のユーザ装置が識別情報を地理的距離又は地理的距離の範囲に関連する推定に関連付けることができるように、第２のユーザ装置が第１のユーザ装置を識別することが有利に可能になる。好ましくは、第２のユーザ装置は、特に、地図上に、識別情報に従って地理的距離又は地理的距離の範囲を表示するように構成される。
【００２８】
本発明の更に好ましい実施形態によれば、ディスカバリメッセージは、送信電力情報に加えて、ディスカバリメッセージが送信電力情報を含むことの指示を含み、好ましくは、ディスカバリメッセージは、送信電力情報に加えて、無線セル内の無線状態を示す更なる情報を含む。
【００２９】
それによって、ディスカバリメッセージが送信電力情報を含むことの指示をディスカバリメッセージが含む場合に（だけ）地理的距離又は地理的距離の範囲に関連する推定を決定するように適合される推定アルゴリズムを実行することによって、相対的に単純なやり方で第２のユーザ装置にディスカバリメッセージを分析させることが有利に可能になる。他の場合では、第２のユーザ装置は、好ましくは、推定アルゴリズムの実行を回避する。本発明によれば、ディスカバリメッセージにおいて無線状態を示す更なる情報を含むことによって、第２のユーザ装置が第１のユーザ装置により直接的に無線セル内の無線状態を知らされることが更に有利に可能になる。例えば、第１のユーザ装置が留まっている無線セルのブロードキャスト制御チャネル（ＢＣＣＨ）を第２のユーザ装置がリッスンすることができない場合、第１のユーザ装置は、無線セル内の無線状態を示す更なる情報の送信によって、第２のユーザ装置がセルの無線状態に従って地理的距離又は地理的距離の範囲に関連する推定を決定することが可能にする。
【００３０】
本発明の更に好ましい実施形態によれば、ディスカバリメッセージは、３ＧＰＰプロキシミティ・サービス（ＰｒｏＳｅ）標準に従う表現を含む。
【００３１】
それによって、第１及び／又は第２のユーザ装置の移動通信ネットワークとの接続とは独立した第１及び第２のユーザ装置の間のディスカバリが可能になるように、デバイス・ツー・デバイス通信のために３ＧＰＰプロキシミティ・サービス（ＰｒｏＳｅ）標準に従う表現を使用することが有利に可能になる。好ましくは、表現は、移動通信ネットワークを使用し及び／又は第１及び第２のユーザ装置との間のデバイス・ツー・デバイス通信接続を確立するのではなくデバイス・ツー・デバイス通信モードで実行されるディスカバリ手続き内で直接的に送信電力情報を交換するために使用される。従って、第１のユーザ装置から第２のユーザ装置へ相対的に単純で、高速且つ信頼できるやり方で送信電力情報を送信することが特に有利に可能になる。
【００３２】
本発明の更に好ましい実施形態によれば、ディスカバリメッセージは、表現に加えて、ヘッダ情報を含み、ヘッダ情報は送信電力情報を含み、及び／又はディスカバリメッセージは、表現及びヘッダ情報に加えて、追加情報を含み、追加情報は送信電力情報を含む。
【００３３】
ディスカバリメッセージが３ＧＰＰプロキシミティ・サービス（ＰｒｏＳｅ）標準に従う表現を含む場合、ディスカバリメッセージは、表現に加えて、ヘッダ情報を含むことが好ましい。本発明の実施形態によれば、送信電力情報がヘッダ情報の一部であり又はそれに含まれる（即ち、ディスカバリメッセージ都の一部として）ことが好ましい。これは、特に、送信電力情報が、このような代替手段によれば、ディスカバリメッセージの表現の一部ではなく又はそれから除外される、即ち、ディスカバリメッセージの表現部分から除外されることを意味する。代替的な好ましい実施形態によれば、送信電力情報は、（ディスカバリメッセージの）ヘッダ情報の一部ではないが、（ディスカバリメッセージの）表現の一部である。更に別の代替的な実施形態によれば、送信電力情報は、（ディスカバリメッセージの）ヘッダ情報、及び（ディスカバリメッセージの）表現の両方の一部である。
【００３４】
ディスカバリメッセージが３ＧＰＰプロキシミティ・サービス（ＰｒｏＳｅ）標準に従う表現を含む場合、ディスカバリメッセージは、表現及びヘッダ情報に加えて、追加情報を含むことが更に好ましい。このような実施形態によれば、送信電力情報は、（ディスカバリメッセージの）ヘッダ情報の一部でも、（ディスカバリメッセージの）表現の一部でもないが、ディスカバリメッセージの追加情報の一部である。しかしながら、本発明によれば、送信電力情報は、共に（ディスカバリメッセージの）追加情報、並びに（ディスカバリメッセージの）ヘッダ情報及び（ディスカバリメッセージの）表現の一方又は両方の一部であることが可能である。
【００３５】
更に、本発明は、第１のユーザ装置から少なくとも１つの第２のユーザ装置へデバイス・ツー・デバイス通信のための少なくとも１つのディスカバリメッセージを送信することによって、少なくとも２つのユーザ装置の間の地理的距離を推定する又は地理的距離の範囲を推定するためのシステムに関連し、システムは第１のユーザ装置及び第２のユーザ装置を含み、第１のユーザ装置及び第２のユーザ装置は、近接性検出及び／又はディスカバリを含むデバイス・ツー・デバイス通信モード（Ｄ２Ｄモード）の使用に対応する。このシステムは、第１のユーザ装置によりディスカバリメッセージが生成され、ディスカバリメッセージは送信電力情報を含み、送信電力情報はディスカバリメッセージを送信するために第１のユーザ装置により使用される送信電力のレベルを示し、第１のユーザ装置及び第２のユーザ装置の共通無線インターフェースを使用して、第１のユーザ装置によりディスカバリメッセージが送信され、ディスカバリメッセージを送信するために第１のユーザ装置により送信電力のレベルが使用され、第２のユーザ装置により送信電力情報を含むディスカバリメッセージが受信され、受信電力のレベルが決定され、受信した送信電力情報及び決定した受信電力のレベルに基づいて、第１のユーザ装置と第２のユーザ装置との間における、地理的距離、又は複数の異なる地理的距離の範囲の中の１つの地理的距離の範囲に関連する推定が第２のユーザ装置により決定されるように構成される。
【００３６】
それによって、特に、サポートする移動通信ネットワークから受信した信号の受信品質とは無関係に決定するために、第１のユーザ装置と第２のユーザ装置との間の地理的距離又は地理的距離の範囲に関連する推定を直接的に決定するためのシステムを提供することが有利に可能になる。それによって、好ましくは、地理的距離又は地理的距離の範囲が相対的に小さく且つ第１のユーザ装置が相対的に低いレベルの送信電力を使用する第１の場合と、地理的距離又は地理的距離の範囲が相対的に大きく且つ第１のユーザ装置が相対的に高いレベルの送信電力を使用する第２の場合、及びこれら２つの場合の両方において決定された受信電力のレベルが実質的に同じである場合の間を第２のユーザ装置が区別することが可能になる。更に、それによって、複数の第２のユーザ装置の各々が第１のユーザ装置への地理的距離又は地理的距離の範囲を決定することを可能にすることが有利に可能になる。一例によれば、地理的距離又は地理的距離の範囲に関連する推定は、例えば、地理的距離の絶対値又は相対値を特定する数値の形式で、又は推定距離がアプリケーションにより要求されるディスカバリ範囲内に入る指示、特に、単一ビット（２進数）指示の形式で、第２のユーザ装置又はシステムの遠隔サーバ上で実行されるソフトウェアアプリケーションに示される。
【００３７】
本発明の、特に、システムの好ましい実施形態によれば、システムは移動通信ネットワークを含み、第１及び第２のユーザ装置の少なくとも１つが、コアネットワーク及びアクセスネットワークを含む移動通信ネットワークに関連し、移動通信ネットワークのアクセスネットワークは基地局エンティティによりサービスされる少なくとも１つの無線セルを含み、無線セルは基地局エンティティの無線カバレッジ範囲に対応し、システムは、送信電力調整情報が基地局エンティティにより送信されるように構成され、システムは、送信電力調整情報が第１のユーザ装置により受信されるように構成され、送信電力調整情報はディスカバリメッセージを送信するために第１のユーザ装置により適用するべき送信電力のレベルを示し、好ましくは、システムは、制御チャネル、好ましくは、ブロードキャスト制御チャネル、又は特定のユーザ装置の個別制御のための専用制御チャネルを使用して、基地局エンティティにより送信電力調整情報が送信されるように構成される。
【００３８】
それによって、相対的に高精度で地理的距離又は地理的距離の範囲に関連する推定を決定するために送信電力調整情報を使用することが有利に可能になる。好ましくは、送信電力調整情報は、ディスカバリメッセージの送信距離範囲の変化が、特に、無線セル内で、異なる第１のユーザ装置に対して低減されるように、ｅＮＢにより発信側の第１のユーザ装置に提供される調整テーブルを含む。好ましくは、システムは、各無線セルごとに別々に送信電力の最大レベルを定義するように構成される。本発明によれば、無線セル固有の送信電力調整情報の使用は、第１のユーザ装置による無線セルの変化に応じた送信距離範囲の変化を有利に回避することを可能にする。
【００３９】
更に、本発明は、ユーザ装置間のデバイス・ツー・デバイス通信のための少なくとも１つディスカバリメッセージを送信することによって、少なくとも２つのユーザ装置間の地理的距離又は地理的距離の範囲の高度推定をユーザ装置により可能にするための、特に、本発明によるシステムで使用されるように適合される移動通信ネットワークに関連し、第１及び第２のユーザ装置の少なくとも１つが、コアネットワーク及びアクセスネットワークを含む移動通信ネットワークに関連し、移動通信ネットワークのアクセスネットワークは基地局エンティティによりサービスされる少なくとも１つの無線セルを含み、無線セルは基地局エンティティの無線カバレッジ範囲に対応し、第１のユーザ装置及び第２のユーザ装置は、近接性検出及び／又はディスカバリを含むデバイス・ツー・デバイス通信モード（Ｄ２Ｄモード）の使用に対応し、移動通信ネットワークは、基地局エンティティにより送信電力調整情報が送信されるように構成され、システムは、送信電力調整情報が第１のユーザ装置により受信されるように構成され、送信電力調整情報はディスカバリメッセージを送信するために第１のユーザ装置により適用するべき送信電力のレベルを示し、
好ましくは、システムは、制御チャネル、好ましくは、ブロードキャスト制御チャネル、又は特定のユーザ装置の個別制御のための専用制御チャネルを使用して、基地局エンティティにより送信電力調整情報が送信されるように構成される。
【００４０】
それによって、本発明によるシステムで使用される移動通信ネットワークを提供することが有利に可能になり、特に、移動通信ネットワークにより送信された信号の送信品質とは無関係に決定するために、第１のユーザ装置と第２のユーザ装置との間の地理的距離又は地理的距離の範囲に関連する推定を直接的に決定することが実現される。
【００４１】
更に、本発明は、本発明によるシステムにおいて又は本発明による移動通信ネットワークと共に使用されるように適合されるユーザ装置に関連し、ユーザ装置は、少なくとも１つの第２のユーザ装置にデバイス・ツー・デバイス通信のための少なくとも１つのディスカバリメッセージを送信するように構成され、ユーザ装置及び第２のユーザ装置は近接性検出及び／又はディスカバリを含むデバイス・ツー・デバイス通信モード（Ｄ２Ｄモード）の使用に対応し、ユーザ装置は、第１のユーザ装置によりディスカバリメッセージが生成され、ディスカバリメッセージは送信電力情報を含み、送信電力情報はディスカバリメッセージを送信するために第１のユーザ装置により使用される送信電力のレベルを示し、第１のユーザ装置及び第２のユーザ装置の共通無線インターフェースを使用して、第１のユーザ装置によりディスカバリメッセージが送信され、ディスカバリメッセージを送信するために第１のユーザ装置により送信電力のレベルが使用されるように構成される。
【００４２】
それによって、本発明によるシステムで使用されるユーザ装置を提供することが有利に可能になり、特に、移動通信ネットワークにより送信された信号の送信品質とは無関係に決定するために、第１のユーザ装置と第２のユーザ装置との間の地理的距離又は地理的距離の範囲に関連する推定を直接的に決定することが実現される。
【００４３】
更に、本発明は、コンピュータ上で又は第１のユーザ装置又は第２のユーザ装置上で、又は部分的に第１のユーザ装置上で及び部分的に第２のユーザ装置上で実行されると、コンピュータ又は第１のユーザ装置又は第２のユーザ装置に、本発明による方法を実行させる、コンピュータ可読プログラムコードを含むプログラムに関連する。
【００４４】
更に、本発明は、基地局と共にユーザ装置を使用するためのコンピュータプログラム製品に関連し、コンピュータプログラム製品は記憶媒体に記憶されたコンピュータプログラムを含み、コンピュータプログラムは、コンピュータ上で又は第１のユーザ装置又は第２のユーザ装置上で、又は部分的に第１のユーザ装置上で及び部分的に第２のユーザ装置上で実行されると、コンピュータ又は第１のユーザ装置又は第２のユーザ装置に、本発明による方法を実行させるプログラムコードを含む、コンピュータプログラム製品に関連する。
【００４５】
本発明のこうした及び他の特徴、機能及び利点は、例えば、本発明の原理を例示する添付の図面と併せて、以下の詳細な説明から明らかになるであろう。この説明は、発明の範囲を限定することなく、例示のためにのみ与えられる。以下で引用される参照図は添付の図面を参照する。
【図面の簡単な説明】
【００４６】
【図１】本発明によるシステムを概略的に示す。
【図２】本発明によるシステムを概略的に示す。
【発明を実施するための形態】
【００４７】
本発明は、特定の実施形態に関して及び所定の図面を参照して記載されているが、本発明はそれらによって限定されるものではなく、請求項によってのみ限定される。記載された図面は、単なる概略であり、非制限的である。図面において、一部の要素のサイズは、例示目的のため、誇張されており、尺度で描かれていない場合がある。
【００４８】
単一の名詞を参照するときに定冠詞又は不定冠詞、例えば、“ａ”，“ａｎ”，“ｔｈｅ”が使用されるが、これは特段の記載が無ければその名詞の複数形を含んでいる。
【００４９】
更に、説明及び請求項における第１、第２、及び第３等の用語は、類似の要素間を区別するために使用されるのであって、必ずしも連続性又は時間的順序を記載するために使用されない。このように使用される用語は適切な状況下で交換可能であり、本明細書に記載の発明の実施形態は本明細書に記載の又は例示された他の順番で動作可能であることが理解されるべきである。
【００５０】
図１では、本発明の実施形態によるシステムが概略的に示されており、システムは第１のユーザ装置２０及び少なくとも１つ第２のユーザ装置２１を含む。システムは、第１のユーザ装置２０から少なくとも１つの第２のユーザ装置２１にデバイス・ツー・デバイス通信ための少なくとも１つディスカバリメッセージ２００（図２に示されている）を送信するように構成される。
【００５１】
更に、システムは、選択的に、移動通信ネットワーク１００、特に公衆携帯電話網（ＰＬＭＮ）を含む。移動通信ネットワーク１００は、アクセスネットワーク１１０及びコアネットワーク１２０を含む。移動通信ネットワーク１００は、好ましくは、典型的に複数のネットワークセルを含むセルラ通信ネットワークであり、図１には参照符号１０によって１つのネットワークセルが示されている。第１のユーザ装置２０及び／又は少なくとも１つ第２のユーザ装置２１が、好ましくは、ネットワークセル１０内の移動通信ネットワーク１００に留まっている。即ち、第１のユーザ装置２０及び／又は第２のユーザ装置２１は、セル１０をサービスしている基地局エンティティ１１１に接続され又は留まっている。本発明の好ましい実施形態によれば、移動通信ネットワーク１００は、デバイス・ツー・デバイス・ディスカバリ及び／又はデバイス・ツー・デバイス通信に関して第１のユーザ装置２０及び／又は少なくとも１つの第２のユーザ装置２１により無線リソースを使用するために、第１のユーザ装置２０及び／又は少なくとも１つの第２のユーザ装置２１に無線リソースを割り当てるように構成される。第１のユーザ装置２０及び第２のユーザ装置２１は、近接性検出及び／又はディスカバリ及び／又はデバイス・ツー・デバイス通信を含むデバイス・ツー・デバイス通信モード（Ｄ２Ｄモード）の使用に対応する。
【００５２】
システムは、好ましくは、第１のユーザ装置２０から少なくとも１つの第２のユーザ装置２１へデバイス・ツー・デバイス通信のための少なくとも１つのディスカバリメッセージ２００（図２を参照）を送信することによって、少なくとも２つのユーザ装置の間の地理的距離を推定する又は地理的距離の範囲を推定するように適合される。システムは、ディスカバリメッセージ２００が送信電力情報を含むようにディスカバリメッセージ２００を生成するように適合される第１のユーザ装置を含む。送信電力情報は、ディスカバリメッセージ２００を送信するために第１のユーザ装置２０により使用される送信電力のレベルを示す。ディスカバリメッセージ２００の生成の後で、第１のユーザ装置２０は、ディスカバリメッセージ２００を送信して、送信電力情報により示される送信電力のレベルを使用する。
【００５３】
システムは、送信電力情報を含むディスカバリメッセージ２００を受信して、受信電力のレベルを決定するように適合される第２のユーザ装置２１を更に含む。受信電力のレベルは、第２のユーザ装置２１によるディスカバリメッセージ２００の受信に関連する。更に、第２のユーザ装置２１は、受信した送信電力情報及び決定した受信電力のレベルに基づいて、第１のユーザ装置２０と第２のユーザ装置２１との間における、地理的距離、又は複数の異なる地理的距離の範囲の中の１つの地理的距離の範囲に関連する推定を決定するように適合される。
【００５４】
図２において、本発明の好ましい実施形態によるシステムが概略的に示されている。図２に示された実施形態によれば、システムの基地局エンティティ１１１は、送信電力調整情報１５０を送信するように適合される。送信電力調整情報１５０は、制御チャネル、好ましくは、ブロードキャスト制御チャネルを使用して又は特定のユーザ装置の個別制御のための専用制御チャネルを使用して、好ましくは、基地局エンティティ１１１により送信される。送信電力調整情報は、ディスカバリメッセージ２００を送信するために第１のユーザ装置２０により適用するべき送信電力のレベルを示す。好ましくは、送信電力調整情報は、ディスカバリメッセージの送信距離範囲を制御するためにシステムにより使用される。
【００５５】
代替的な好ましい実施形態によれば、送信電力調整情報１５０は第１のユーザ装置２０に送信され、第１のユーザ装置２０により受信される。特に、ブロードキャスト制御チャネルが使用され且つ第１のユーザ装置２０のみがブロードキャスト制御チャネルをリッスンするように適合される場合、及び／又は第１のユーザ装置の個別制御のための専用制御チャネルが使用される場合、送信電力調整情報１５０は第１のユーザ装置だけに受信される。更に別の代替的な好ましい実施形態によれば、送信電力調整情報１５０は、第１のユーザ装置２０及び第２のユーザ装置２１の両方に送信され、好ましくは、ブロードキャスト制御チャネルが使用される。送信電力調整情報１５０が第２のユーザ装置２１にも受信される場合、送信電力調整情報は、無線セル内の無線状態を示すように構成される。それによって、送信電力調整情報及び受信した送信電力情報と決定した受信電力のレベルに基づいて、特に、相対的に高精度で、第１のユーザ装置２０と第２のユーザ装置２１との間の地理的距離又は地理的距離の範囲に関連する推定が決定されることが有利に可能になる。
【００５６】
本発明の実施形態によれば、送信電力調整情報は調整テーブルの形態で使用される。ここで、調整テーブルは、システムにより、無線セルのタイプ、例えば、地方タイプ又は都市タイプ又は別のタイプの無線セルのタイプに調節される。
【００５７】
本発明の好ましい実施形態によれば、送信電力調整情報１５０は、ディスカバリメッセージ２００を送信するために、第１のユーザ装置２０により選択的に適用される、少なくとも第１のレベルの送信電力、第２のレベルの送信電力及び第３のレベルの送信電力を指す。第１のレベルの送信電力は、ディスカバリメッセージ２００の第１の送信距離範囲、例えば、近距離を指す。第２のレベルの送信電力は、ディスカバリメッセージ２００の第２の送信距離範囲、例えば、中距離を指す。第３のレベルの送信電力は、ディスカバリメッセージ２００の第３の送信距離範囲、例えば、長距離を指す。
【００５８】
例えば、送信電力調整情報が第１のタイプの無線セル１０、例えば、相対的に良好な無線状態を有する地方の無線セル１０に対して使用される場合、送信電力調整情報が第２のタイプの無線セル１０、例えば、特に、干渉源の密度が高いため、相対的に悪い無線状態を有する都市の無線セル１０に使用される場合よりも小さな第１、第２及び第３のレベルの送信電力がそれぞれ第１、第２及び第３の送信距離範囲に使用される。それによって、無線セルのタイプとは関係無く、同じ第１、第２及び第３の送信距離範囲を実現することが有利に可能になる。
【図１】
0006423452.tif 000002
【図２】
0006423452.tif 000003